(57)【要約】【課題】口腔内洗浄等に使用されるオゾン水生成装置において、簡易な構成でオゾン水生成中であっても気体のオゾンが使用者の呼吸する空気中に放出されることを抑制することができる、携帯性に優れたオゾン水生成装置を提供することを目的とする。【解決手段】オゾン水生成装置１は液体に浸漬した際に電気分解により液体からオゾン水を生成するオゾン発生用電極６と、電極７と、オゾン発生用電極６及び電極７に通電を行うための取手５に設けられた乾電池８からなり、オゾン発生用電極６と、電極７は下部に流水口２を有する筐体９の内部に備えられ、流水口２から液体に浸漬するものであり、オゾン発生用電極６を液体に浸漬しオゾン水を生成する際にオゾン発生用電極６から気泡として放出されるオゾンガスを回収するオゾンガス回収部１０を筐体９内に設けた構成とし、オゾン水生成中でも気体のオゾンが液面より空気中に放出されることを抑制することができる。【選択図】図２
2012187460.tif 000002
【特許請求の範囲】
【請求項１】
液体に浸漬した際に電気分解により液体からオゾン水を生成するオゾン発生用電極と、
前記オゾン発生用電極に通電を行うための電源部とを備えたオゾン水生成装置において、
下部に開口を有する筐体内に前記オゾン発生用電極を備え、前記開口から液体に浸漬する構成となっており、
前記オゾン発生用電極を液体に浸漬しオゾン水を生成する際に前記オゾン発生用電極から気泡として放出されるオゾンガスを回収するオゾンガス回収部を前記筐体内に設けたことを特徴とするオゾン水生成装置。
【請求項２】
オゾン発生用電極を覆う壁が、前記オゾン発生用電極の下端より下方まであることを特徴とする請求項１に記載のオゾン水生成装置。
【請求項３】
オゾン発生用電極に触れることができない構成としたことを特徴とする請求項１または請求項２に記載のオゾン水生成装置。
【請求項４】
オゾンガス回収部に、オゾン分解触媒を備えたことを特徴とする請求項１から３いずれかに記載のオゾン水生成装置。
【請求項５】
請求項１から４いずれかに記載のオゾン水生成装置と、少なくとも一部が大気に接触可能な液体を貯留する液体貯留手段とを備え、前記オゾン水生成装置のオゾン発生用電極に前記液体貯留手段の液体が接触できるように前記オゾン水生成装置と前記液体貯留手段を配置したことを特徴とするオゾン水貯留装置。
【請求項６】
液体貯留手段と請求項１から４いずれかに記載のオゾン水生成装置とをコップ形状に一体成型したことを特徴とする請求項５に記載のオゾン水貯留装置。
【請求項７】
オゾン発生用電極への通電量を制御する制御部を備え、前記オゾン発生用電極への通電量を制御することで前記オゾン発生用電極からオゾンと共に過酸化水素を発生させることを特徴とする請求項５または請求項６に記載のオゾン水貯留装置。
【請求項８】
オゾンガス回収部の一部に気体のオゾンを排出する排気口を設けたことを特徴とする請求項５から７いずれかに記載のオゾン水貯留装置。
【請求項９】
排気口がオゾンガス回収部の下方に設けられたことを特徴とする請求項８に記載のオゾン水貯留装置。
【請求項１０】
液体貯留手段の液体を撹拌する、液体撹拌手段を設けたことを特徴とする請求項５から９いずれかに記載のオゾン水貯留装置。
【請求項１１】
液体撹拌手段が、空気を液体中に気泡として放出するバブリング装置であることを特徴とする請求項１０に記載のオゾン水貯留装置。
【請求項１２】
液体撹拌手段が、スクリューであることを特徴とする請求項１０に記載のオゾン水貯留装置。
【請求項１３】
請求項１から４いずれかに記載のオゾン水生成装置は、取手を備え、前記取手に電源部を備えたことを特徴とする請求項５から１２いずれかに記載のオゾン水貯留装置。
【発明の詳細な説明】
【技術分野】
【０００１】
本発明は、口腔洗浄等に使用されるオゾン水の生成装置に関するものである。
【背景技術】
【０００２】
従来、この種のオゾン水生成装置は、口腔内の細菌を除菌し口臭を除去する口臭除去装置などに用いられたものが知られている（例えば、特許文献１参照）。
【０００３】
以下、その口臭除去装置について図６を参照しながら説明する。
【０００４】
図６の概念図に示すように、口臭除去装置１０１は、本体１０２内に設けられた飲料水を入れる水槽部１０３と、オゾンを発生させるオゾン発生装置１０４と、そのオゾン発生装置１０４にチューブ１０５を介して接続され、オゾン発生装置１０４から発生したオゾンを細かい気泡として排出する水槽部１０３の底部に配設された気泡材１０６と、オゾン発生装置１０４にエアを供給するエアポンプ１０７と、オゾン発生装置１０４及びエアポンプ１０７を駆動させる電源１０８と、から形成される。
【先行技術文献】
【特許文献】
【０００５】
【特許文献１】特開平１０‐７５９６７号公報（第１図）
【発明の概要】
【発明が解決しようとする課題】
【０００６】
このような従来の口臭除去装置においては、気体のオゾンを細かい気泡として液中に放出することでオゾン水を生成する方式のため、気体のオゾンが液面から空気中に大量に放出されてしまう。気体のオゾンは空気中での濃度が高い場合は人体に悪影響を及ぼすため、オゾン水を生成する間は気体のオゾンが口臭除去装置を使用する使用者が吸わないように、水槽部を密閉する必要があった。このため、水槽部を密閉化する機構が不可欠であるため、構造が複雑になり、装置をコンパクトにできないという課題があった。また、水槽部を密閉化する機構が不可欠であるため、水槽部が必ず必要であり、オゾン水を生成する装置部だけを取り外してコンパクトにして携帯することができないため、携帯性に優れないという課題があった。
【０００７】
そこで本発明は、上記従来の課題を解決するものであり、簡易な構成でオゾン水生成中であっても気体のオゾンが液面から空気中に放出されることを抑制することができる、携帯性に優れたオゾン水生成装置およびそれを用いたオゾン水貯留装置を提供することを目的とする。
【課題を解決するための手段】
【０００８】
そして、この目的を達成するために、本発明は、液体に浸漬した際に電気分解により液体からオゾン水を生成するオゾン発生用電極と、前記オゾン発生用電極に通電を行うための電源部とを備えたオゾン水生成装置において、下部に開口を有する筐体内に前記オゾン発生用電極を備え、前記開口から液体に浸漬する構成となっており、前記オゾン発生用電極を液体に浸漬しオゾン水を生成する際に前記オゾン発生用電極から気泡として放出されるオゾンガスを回収するオゾンガス回収部を前記筐体内に設けたことを特徴とするオゾン水生成装置であり、これにより所期の目的を達成するものである。
【発明の効果】
【０００９】
本発明によれば、液体に浸漬した際に電気分解により液体からオゾン水を生成するオゾン発生用電極と、前記オゾン発生用電極に通電を行うための電源部とを備えたオゾン水生成装置において、下部に開口を有する筐体内に前記オゾン発生用電極を備え、前記開口から液体に浸漬する構成としたオゾン水生成装置であり、前記オゾン発生用電極を液体に浸漬しオゾン水を生成する際に前記オゾン発生用電極から気泡として放出されるオゾンガスを回収するオゾンガス回収部を前記筐体内に設けた構成にしたことにより、複雑な機構を設けることなくオゾン水生成中に液体中に溶けきれなかった前記オゾン発生用電極より気泡として液体中に放出されるオゾンは前記回収部に回収されるため気体のオゾンが使用者の呼吸する空気中に放出されることを抑制することができるためオゾン水生成装置をコンパクトにできる。また本発明のオゾン水生成装置は液体を貯留するものは別に設けてもいいため、オゾン水生成装置だけを携帯することができるため、携帯性に優れるものである。
【図面の簡単な説明】
【００１０】
【図１】本発明の実施の形態１のオゾン水生成装置の使用状態を示した斜視図
【図２】本発明の実施の形態１のオゾン水生成装置の断面斜視図
【図３】本発明の実施の形態２のオゾン水貯留装置の使用状態を示した斜視図
【図４】本発明の実施の形態２のオゾン水貯留装置の断面斜視図
【図５】本発明の実施の形態３のオゾン水貯留装置の断面斜視図
【図６】従来技術の一例を示す概念図
【発明を実施するための形態】
【００１１】
本発明の請求項１記載の発明は、液体に浸漬した際に電気分解により液体からオゾン水を生成するオゾン発生用電極と、前記オゾン発生用電極に通電を行うための電源部とを備えたオゾン水生成装置において、下部に開口を有する筐体内に前記オゾン発生用電極を備え、前記開口から液体に浸漬する構成となっており、前記オゾン発生用電極を液体に浸漬しオゾン水を生成する際に前記オゾン発生用電極から気泡として放出されるオゾンガスを回収するオゾンガス回収部を前記筐体内に設けたことを特徴とするオゾン水生成装置である。
【００１２】
これにより、複雑な機構を設けることなくオゾン水生成中に液体中に溶けきれなかった前記オゾン発生用電極より気泡として液体中に放出されるオゾンは前記オゾンガス回収部に回収されるため気体のオゾンが使用者の呼吸する空気中に放出されることを抑制することができるためオゾン水生成装置をコンパクトにできる。またオゾン水生成装置は液体を貯留するものは別に設けてもいいため、オゾン水生成装置だけを携帯することができるため、携帯性に優れる。なお、液体とは水や飲料水などである。
【００１３】
また、オゾン発生用電極を覆う壁が、前記オゾン発生用電極の下端より下方まである構成としてもよい。
【００１４】
これにより、オゾン発生用電極より発生する気泡のオゾンは、浮力により液体中を上方に移動するため、オゾン発生用電極の下端より下方までオゾン発生用電極を覆う壁が存在することで壁により気泡のオゾンがオゾン水生成装置の外部空間の液体中に漏れ出るのを効率よく抑制することができる。
【００１５】
また、オゾン発生用電極に触れることができない構成としてもよい。
【００１６】
これにより、オゾン水生成装置を使用する使用者が誤ってオゾン発生用電極に触れ、感電することを防ぐことができる。また、使用者が誤ってオゾン発生用電極に触れ、オゾン発生用電極が破損することを防ぐことができ、長期間安定してオゾン水生成装置を使用することができる。
【００１７】
また、オゾンガス回収部に、オゾン分解触媒を備えた構成としてもよい。
【００１８】
これにより、オゾンガス回収部に回収された気体のオゾンをオゾン分解触媒により分解することができるため、オゾン水生成装置の使用中や使用後にもオゾン水生成装置から気体のオゾンが漏れ出るのを抑制することができ、安全にオゾン水生成装置を使用することができる。
【００１９】
また、請求項１から４いずれかに記載のオゾン水生成装置と、少なくとも一部が大気に接触可能な液体を貯留する液体貯留手段とを備え、前記オゾン水生成装置のオゾン発生用電極に前記液体貯留手段の液体が接触できるように前記オゾン水生成装置と前記液体貯留手段を配置したことを特徴とするオゾン水貯留装置としてもよい。
【００２０】
これにより、液体貯留手段に液体を入れ、通電するだけでオゾン水を生成することができるため、簡易にオゾン水を生成することができる。また、オゾン水生成中でも気体のオゾンは液体貯留手段から使用者の呼吸する空気中に多量に放出されないので、オゾン水生成中に誤って液体貯留手段から液体を採取しても気体の高濃度のオゾンを吸うことがなく、安全にオゾン水を使用することができる。
【００２１】
また、液体貯留手段と請求項１から４いずれかに記載のオゾン水生成装置とをコップ形状に一体成型してもよい。
【００２２】
これにより、オゾン水生成装置によって生成された液体貯留手段のオゾン水を、直接コップ形状のオゾン水貯留装置から口に採取することができるため、簡易にオゾン水を口腔洗浄に利用することができる。またコップ形状であれば手で簡易に運ぶことができるため、利便性が高い。
【００２３】
また、オゾン発生用電極への通電量を制御する制御部を備え、前記オゾン発生用電極への通電量を制御することで前記オゾン発生用電極からオゾンと共に過酸化水素を発生させるようにしてもよい。
【００２４】
これにより、過酸化水素はより酸化力の強いオゾンにより酸化され、ＯＨラジカルを生成することが可能となる。ＯＨラジカルはオゾンより除菌性能や有機物の分解に優れるため、より効果的に口腔内洗浄や除菌、有機物分解を行うことができる。
【００２５】
また、オゾンガス回収部の一部に気体のオゾンを排出する排気口を設けた構成としてもよい。
【００２６】
これにより、オゾンガス回収部に回収された気体のオゾンは排気口から排出されるため、気体のオゾンが蓄積してオゾンガス回収部の内圧が高まり、オゾン水生成装置から液体貯留手段に気体のオゾンが漏れ出るのを防止することができ、気体のオゾンが液体貯留手段から使用者の呼吸する空気中に多量に放出されないので、気体の高濃度のオゾンを吸うことがなく、安全にオゾン水貯留装置を使用することができる。
【００２７】
また、排気口がオゾンガス回収部の下方に設けられた構成としてもよい。
【００２８】
これにより、気体のオゾンは空気より比重が大きいため、空気中では下方に沈降するため、排気口をオゾンガス回収部の下方に設けることで効率よく気体のオゾンを排気口から排出することができる。
【００２９】
また、液体貯留手段の液体を撹拌する、液体撹拌手段を設けた構成としてもよい。
【００３０】
これにより、オゾン発生用電極にオゾン濃度の低い液体が効率よく接触できるため、効率よく、短時間でオゾン水を生成することができる。
【００３１】
また、液体撹拌手段が、空気を液体中に気泡として放出するバブリング装置としてもよい。
【００３２】
これにより、オゾン発生用電極にオゾン濃度の低い液体が効率よく接触できるため、効率よく、短時間でオゾン水を生成することができる。また、バブリング装置により液体中に気泡が多量に存在するため、オゾン水を洗浄に用いる際に、気泡の界面活性作用により汚れを引き剥がす作用が働くため、より洗浄効果を高めることができる。また、口腔洗浄する際には、気泡が口腔内の皮膚に接触するため、使用者に洗浄しているという感覚を与え、使用者に爽快感を与えることができる。
【００３３】
また、液体撹拌手段が、スクリューとしてもよい。
【００３４】
これにより、オゾン発生用電極にオゾン濃度の低い液体が効率よく接触できるため、効率よく、短時間でオゾン水を生成することができる。
【００３５】
また、請求項１から４いずれかに記載のオゾン水生成装置は、取手を備え、前記取手に電源部を備えた構成としてもよい。
【００３６】
これにより、取手を備えることでオゾン水生成装置、オゾン水貯留装置を取手を持って運べる、または使用できるため利便性を高めることができる。また、取手は液体に浸漬しないため、電源部に液体が接触し、オゾン水生成装置、またはオゾン水貯留装置が破損するのを防ぐことができ、長期間安定して使用することができる。
【００３７】
以下、本発明の実施の形態について図面を参照しながら説明する。
【００３８】
（実施の形態１）
図１において、１はオゾン水生成装置で、オゾン水生成装置１の下部に設けられた開口としての流水口２から、液体としての水３の入ったコップ４に取手５がコップ４の外になるように設置して使用するものである。
【００３９】
オゾン水生成装置１は図２に断面の斜視図を示すように、水３に浸漬した際に電気分解により水３からオゾン水を生成するオゾン発生用電極６と、電極７と、オゾン発生用電極６及び電極７に通電を行うための取手５に設けられた電源部としての乾電池８からなり、オゾン発生用電極６と、電極７は下部に流水口２を有する筐体９の内部に備えられ、流水口２から水３に浸漬するものであり、オゾン発生用電極６と電極７を水３に浸漬しオゾン水を生成する際にオゾン発生用電極６から気泡として放出されるオゾンガスを回収するオゾンガス回収部１０を筐体９内に設けた構成となっている。
【００４０】
具体的には、オゾンガス回収部１０はオゾン水生成装置１を水３に浸漬した際に、水面により閉鎖空間となる筐体９内の空間である。オゾン水生成装置１は、水３に浸漬した後でオゾン発生用電極６と電極７に乾電池８から通電することで、水３の電気分解とともにオゾン発生用電極６よりオゾンが生成され、一部が水３に溶け込みオゾン水となり、残りは気体のオゾンとして気泡となり放出される。このとき、気泡となり放出される気体のオゾンをオゾンガス回収部１０により回収するものである。
【００４１】
これにより、複雑な機構を設けることなく気泡として水３に放出されるオゾンはオゾンガス回収部１０に回収されるため気体のオゾンが使用者の呼吸する空気中に放出されることを抑制することができるためオゾン水生成装置１をコンパクトにできる。
【００４２】
またオゾン水生成装置１は水を貯留するコップ４から取り外して、オゾン水生成装置１だけを携帯することができるため、携帯性に優れる。
【００４３】
ここで、オゾン発生用電極６としては白金族元素を用いた電極や、ダイヤモンド電極などが一例として挙げられ、電極７としては、白金や白金−イリジウム系の電解用電極、カーボン電極などが一例として挙げられ、オゾン発生用電極６をアノードに、電極７をカソードに用いるものである。
【００４４】
また、取手５を備えることで取手５を持ってオゾン水生成装置１を運べる、または使用できるため利便性を高めることができる。また、取手５は水３に浸漬しないため、乾電池８に水３が接触し、オゾン水生成装置１が破損するのを防ぐことができ、長期間安定して使用することができる。
【００４５】
また、オゾン発生用電極６を覆う壁１１が、オゾン発生用電極６の下端より下方まである構成となっており、これにより、オゾン発生用電極６より発生する気泡のオゾンは、浮力により水３中を上方に移動するため、オゾン発生用電極６の下端より下方までオゾン発生用電極６を覆う壁１１が存在することで壁１１により気泡のオゾンがオゾン水生成装置１の外部空間の水３中に漏れ出るのを効率よく抑制することができる。すなわち、流水口２は、オゾン発生用電極６の下端より下方に設けている。
【００４６】
また、オゾン発生用電極６や電極７に触れることができないように、流水口２は手指が入らないよう格子形状となっており、これにより、オゾン水生成装置１を使用する使用者が誤ってオゾン発生用電極６や電極７に触れ、感電することを防ぐことができる。また、使用者が誤ってオゾン発生用電極６や電極７に触れ、オゾン発生用電極６や電極７が破損することを防ぐことができ、長期間安定してオゾン水生成装置１を使用することができる。
【００４７】
（実施の形態２）
図３において、オゾン水貯留装置１２はオゾン水生成装置１と水３を入れる液体貯留手段１３で構成されるものである。実施の形態１と同様の構成要素については同一の符号を付し、その詳細な説明は省略する。
【００４８】
液体貯留手段１３に入れられた水３は、一部が大気に接触し、一部はオゾン水生成装置１に接触するよう配置されている。オゾン水貯留装置１２には取手５と、取手５に備えられたスイッチ１４が設けられており、液体貯留手段１３に水３を入れ、スイッチ１４を操作することで水３からオゾン水の生成を行うものである。
【００４９】
これにより、液体貯留手段１３に水３を入れ、スイッチ１４を操作することで通電するだけでオゾン水を生成することができるため、簡易にオゾン水を生成することができる。また、オゾン水生成中でも気体のオゾンは液体貯留手段１３から使用者の呼吸する空気中に多量に放出されないので、オゾン水生成中に誤って液体貯留手段１３から水３を採取しても気体の高濃度のオゾンを吸うことがなく、安全にオゾン水を使用することができる。なお、取手５はオゾン水生成装置１の中央ではなく、液体貯留手段１３に近い位置に設けるほうが好ましく、オゾン水生成装置１と液体貯留手段１３内の水３との境界近傍に設けるほうがさらに好ましい。このような配置とすることで口を液体貯留手段１３につける際にオゾン水生成装置１が邪魔にならず使用しやすくなる。
【００５０】
また、オゾン水貯留装置１２はオゾン水生成装置１と水３を入れる液体貯留手段１３はコップ形状に一体成型されていてもよく、これにより、オゾン水生成装置１によって生成された液体貯留手段１３のオゾン水を、直接コップ形状のオゾン水貯留装置１２から口に採取することができるため、簡易にオゾン水を口腔洗浄に利用することができる。またコップ形状であれば手で簡易に運ぶことができるため、利便性が高い。
【００５１】
オゾン水貯留装置１２は図４に断面の斜視図を示すように、オゾン水生成装置１のオゾンガス回収部１０にオゾン分解触媒１５を備え、これにより、オゾンガス回収部１０に回収された気体のオゾンをオゾン分解触媒１５により分解することができるため、オゾン水貯留装置１２の使用中や使用後にもオゾン水貯留装置１２から気体のオゾンが漏れ出るのを抑制することができ、安全にオゾン水貯留装置１２を使用することができる。なお、オゾン分解触媒としては、銅酸化物やマンガン酸化物など既知のものを使用することができる。
【００５２】
また、オゾン水貯留装置１２は、オゾン水生成装置１にオゾン発生用電極６と電極７への通電量を制御する制御部１６を備え、前記オゾン発生用電極６と電極７への通電量を制御することで前記オゾン発生用電極６からオゾンと共に過酸化水素を発生させるようにしてもよい。
【００５３】
これにより、過酸化水素はより酸化力の強いオゾンにより酸化され、ＯＨラジカルを生成することが可能となる。ＯＨラジカルはオゾンより除菌性能や有機物の分解に優れるため、より効果的に口腔内洗浄や除菌、有機物分解を行うことができる。なお、液体貯留手段１３に水３を満杯に満たしても、水３が制御部１６や乾電池８に接触しないように、制御部１６が設けられている側の壁１１は液体貯留手段１３の上端より高い構成となっており、このような液体貯留手段１３に水３を満杯に満たしても、水３が制御部１６や乾電池８に接触しない構成とすることで水３が制御部１６や乾電池８に接触することで破損することを防ぐことができ、長期間安定してオゾン水貯留装置１２を使用することができる。なお、オゾン水としては０．０１ｐｐｍから４ｐｐｍ程度のオゾン濃度が人体への悪影響がなく、除菌効果が得られるため好ましく、制御部１６により通電量を制御することで濃度を管理できる。
【００５４】
また、取手５に電源部としての乾電池８を備えており、取手５を備えることでオゾン水貯留装置１２を取手５を持って運べる、または使用できるため利便性を高めることができる。また、取手５は水３に浸漬しないため、乾電池８に水３が接触し、オゾン水貯留装置１２が破損するのを防ぐことができ、長期間安定して使用することができる。
【００５５】
また、オゾン水生成装置１には、液体貯留手段１３の水３を撹拌する、液体撹拌手段として、空気を水３中に気泡として放出することで撹拌するポンプ１７と、ポンプ１７から送風される空気を水３中に導くチューブ１８からなるバブリング装置を備えてもよい。
【００５６】
これにより、オゾン発生用電極６にオゾン濃度の低い水３が効率よく接触できるため、効率よく、短時間でオゾン水を生成することができる。また、バブリング装置により水３中に気泡が多量に存在するため、オゾン水を洗浄に用いる際に、気泡の界面活性作用により汚れを引き剥がす作用が働くため、より洗浄効果を高めることができる。また、口腔洗浄する際には、気泡が口腔内の皮膚に接触するため、使用者に洗浄しているという感覚を与え、使用者に爽快感を与えることができる。
【００５７】
（実施の形態３）
オゾン水貯留装置１２は図５に断面の斜視図を示すように、オゾン水生成装置１のオゾンガス回収部１０の液体貯留手段１３から離れた位置の下方に気体のオゾンを排出する排気口１９を設けた構成となっている。実施の形態１および２と同様の構成要素については同一の符号を付し、その詳細な説明は省略する。
【００５８】
これにより、オゾンガス回収部１０に回収された気体のオゾンは排気口１９から排出されるため、気体のオゾンが蓄積してオゾンガス回収部１０の内圧が高まり、オゾン水生成装置１から液体貯留手段１３に気体のオゾンが漏れ出るのを防止することができ、気体のオゾンが液体貯留手段１３から使用者の呼吸する空気中に多量に放出されないので、気体の高濃度のオゾンを吸うことがなく、安全にオゾン水貯留装置１２を使用することができる。
【００５９】
また、排気口１９はオゾンガス回収部１０の下方に設けられているため、気体のオゾンは空気より比重が大きいため、空気中では下方に沈降するため、排気口１９をオゾンガス回収部１０の下方に設けることで効率よく気体のオゾンを排気口１９から排出することができる。また、誤って水３が入ってしまった場合でも、排気口１９から水３が出るため、乾電池８や制御部１６が水３に水没することがなく、破損する危険性を減らすことができる。
【００６０】
また、オゾン水生成装置１には、液体貯留手段１３の水３を撹拌する、液体撹拌手段として、スクリュー２０を設けられている。これにより、オゾン発生用電極６にオゾン濃度の低い水３が効率よく接触できるため、効率よく、短時間でオゾン水を生成することができる。
【産業上の利用可能性】
【００６１】
本発明にかかるオゾン水生成装置およびそれを用いたオゾン水貯留装置は、簡易な構成でオゾン水生成中であっても気体のオゾンが使用者の呼吸する空気中に放出されることを抑制することができる、携帯性に優れるので、口腔内を洗浄する機器や除菌を行うための除菌水生成機を提供することができる。
【符号の説明】
【００６２】
１      オゾン水生成装置
２      流水口
３      水
４      コップ
５      取手
６      オゾン発生用電極
７      電極
８      乾電池
９      筐体
１０    オゾンガス回収部
１１    壁
１２    オゾン水貯留装置
１３    液体貯留手段
１４    スイッチ
１５    オゾン分解触媒
１６    制御部
１７    ポンプ
１８    チューブ
１９    排気口
２０    スクリュー
１０１  口臭除去装置
１０２  本体
１０３  水槽部
１０４  オゾン発生装置
１０５  チューブ
１０６  気泡材
１０７  エアポンプ
１０８  電源
【図１】
2012187460.tif 000003
【図２】
2012187460.tif 000004
【図３】
2012187460.tif 000005
【図４】
2012187460.tif 000006
【図５】
2012187460.tif 000007
【図６】
2012187460.tif 000008